【手続補正書】
【提出日】平成18年1月30日(2006.1.30)
【手続補正１】
【補正対象書類名】明細書
【補正対象項目名】請求項１
【補正方法】変更
【補正の内容】
【請求項１】  体内に挿入可能な管体からなり、内部にルーメンが設けられた管状本体と、先端が先鋭な針部とされた細管からなり、該管状本体の内部に設けられたルーメン内に、軸方向に移動可能に挿入されて、該針部が、該管状本体に設けられた、該ルーメンを外部に開口せしめる突出孔から外部に突出せしめられ、内部に供給された所定の薬液を該針部から吐出する針状管体とを有し、該管状本体を体内に挿入位置せしめた状態下で、該針状管体の針部を該管状本体の前記突出孔から突出せしめて、該体内の所定の組織に穿刺することにより、該針状管体を通じて、該薬液を該体内組織に注入し得るようにした薬液注入装置において、  前記管状本体の内部に設けられた前記ルーメン内に、少なくとも一部が柔軟性を有する柔軟部とされた保護体を、該柔軟部が該ルーメンの内周面と前記針状管体の前記針部の針先との間に介在せしめられた状態で、該針状管体と一体的に移動可能に位置せしめたことを特徴とする薬液注入装置。【手続補正２】
【補正対象書類名】明細書
【補正対象項目名】請求項１２
【補正方法】変更
【補正の内容】
【請求項１２】  体内に挿入可能な管体からなり、内部にルーメンが設けられた管状本体と、先端が針部とされた細管からなり、該管状本体の内部に設けられたルーメン内に、軸方向に移動可能に挿入されて、該針部が、該管状本体に設けられた、該ルーメンを外部に開口せしめる突出孔から外部に突出せしめられ、内部に供給された所定の薬液を該針部から吐出する針状管体とを有し、該管状本体を体内に挿入位置せしめた状態下で、該針状管体の針部を該管状本体の前記突出孔から突出せしめて、該体内の所定の組織に穿刺することにより、該針状管体を通じて、該薬液を該体内組織に注入し得るようにした薬液注入装置において、  前記管状本体の軸方向に対して直角な一方向における前記突出孔の幅が、前記ルーメンの該一方向の幅よりも狭小化されると共に、該ルーメンの内周面に、該針状管体の前記軸方向への移動に伴う、該針状管体の前記針部の摺接によって、該針部を該突出孔に案内する案内面が設けられていることを特徴とする薬液注入装置。【手続補正３】
【補正対象書類名】明細書
【補正対象項目名】０００８
【補正方法】変更
【補正の内容】
【０００８】    【解決手段】  そして、本発明にあっては、前記第一の課題の解決のために、体内に挿入可能な管体からなり、内部にルーメンが設けられた管状本体と、先端が先鋭な針部とされた細管からなり、該管状本体の内部に設けられたルーメン内に、軸方向に移動可能に挿入されて、該針部が、該管状本体に設けられた、該ルーメンを外部に開口せしめる突出孔から外部に突出せしめられ、内部に供給された所定の薬液を該針部から吐出する針状管体とを有し、該管状本体を体内に挿入位置せしめた状態下で、該針状管体の針部を該管状本体の前記突出孔から突出せしめて、該体内の所定の組織に穿刺することにより、該針状管体を通じて、該薬液を該体内組織に注入し得るようにした薬液注入装置において、前記管状本体の内部に設けられた前記ルーメン内に、少なくとも一部が柔軟性を有する柔軟部とされた保護体を、該柔軟部が該ルーメンの内周面と前記針状管体の前記針部の針先との間に介在せしめられた状態で、該針状管体と一体的に移動可能に位置せしめたことを特徴とする薬液注入装置を、その要旨とするものである。【手続補正４】
【補正対象書類名】明細書
【補正対象項目名】００２９
【補正方法】変更
【補正の内容】
【００２９】  そして、本発明にあっては、前述せる如き第二の技術課題を解決するために、体内に挿入可能な管体からなり、内部にルーメンが設けられた管状本体と、先端が針部とされた細管からなり、該管状本体の内部に設けられたルーメン内に、軸方向に移動可能に挿入されて、該針部が、該管状本体に設けられた、該ルーメンを外部に開口せしめる突出孔から外部に突出せしめられ、内部に供給された所定の薬液を該針部から吐出する針状管体とを有し、該管状本体を体内に挿入位置せしめた状態下で、該針状管体の針部を該管状本体の前記突出孔から突出せしめて、該体内の所定の組織に穿刺することにより、該針状管体を通じて、該薬液を該体内組織に注入し得るようにした薬液注入装置において、前記管状本体の軸方向に対して直角な一方向における前記突出孔の幅が、前記ルーメンの該一方向の幅よりも狭小化されると共に、該ルーメンの内周面に、該針状管体の前記軸方向への移動に伴う、該針状管体の前記針部の摺接によって、該針部を該突出孔に案内する案内面が設けられていることを特徴とする薬液注入装置をも、その要旨とするものである。
【手続補正５】
【補正対象書類名】明細書
【補正対象項目名】００４５
【補正方法】変更
【補正の内容】
【００４５】  なお、図１、図３、及び図５中、３１は、金、白金、白金ロジウム合金等の放射線不透過材料を用いて形成された、マーカー部材としてのマーカーチューブである。このマーカーチューブ３１は、軸方向一方側の開口端面が傾斜面とされて、筒壁部に、軸方向長さの最長部位と最短部位とが形成されている。そして、かかるマーカーチューブ３１にあっては、筒壁部の最長部位か最短部位の何れかが、カテーテル本体１０の前端部における突出孔２０の形成部位に対応位置する状態で、カテーテル本体１０の前端部に外挿固定されている。マーカーチューブ３１の先端は、針状管体１６が突出した際における針状管体１６（針部１４）の接線：ｍに略一致するようになっている（図５参照）。これによって、カテーテル本体１０を血管内に挿入せしめた状態下で、突出孔２０の位置及び針状管体１６の先端の位置が、マーカーチューブ３１の筒壁部の先端部、最長部位、及び最短部位をＸ線透視することで、容易に把握され得るようになっている。なお、本実施形態では、図３に示されるように、マーカーチューブ３１の筒壁部の最短部位が、突出孔２０側に位置せしめられている。
【手続補正６】
【補正対象書類名】明細書
【補正対象項目名】００４６
【補正方法】変更
【補正の内容】
【００４６】  一方、図１乃至図３に示されるように、ルーメン１２内に挿入される針状管体１６は、全体として、可撓性を有する細管からなっている。そして、かかる針状管体１６にあっては、先端に設けられた針部１４を除いた部分が、カテーテル本体１０よりも長い長さと０．４ｍｍ程度の直径とを有する細管からなる薬液流通管路部３２とされている。即ち、ここでは、針状管体１６が、針部１４と薬液流通管路部３２とからなる一体品にて、構成されている。
【手続補正７】
【補正対象書類名】明細書
【補正対象項目名】００５８
【補正方法】変更
【補正の内容】
【００５８】  また、このような保護体４２にあっては、コイルばね部４４の第二ばね部５２が、針状管体１６の針部１４の針先に対して、それを包囲するように外挿される柔軟部とされている。更に、かかるコイルばね部４４の第一ばね部５４が、針部１４の針先以外の部分に外挿される伸縮部とされている。一方、保護体４２の撚線部４６は、針状管体１６の薬液流通管路部３２における針部１４形成側の先端部分に外挿される支持部とされている。
【手続補正８】
【補正対象書類名】明細書
【補正対象項目名】００８９
【補正方法】変更
【補正の内容】
【００８９】  一方、柔軟部６８は、挿通部６６の小径部７２に対して、コイル７８が外挿固定されることによって、構成されている。即ち、この柔軟部６８を構成するコイル７８は、例えば、金や白金、白金ロジウム合金等の放射線不透過材料からなる金属線材が巻回されることにより柔軟性が具備せしめられて、成っている。また、かかるコイル７８は、挿通部６６の小径部７２に外挿可能な内径と、針状管体１６の針部１４の先端開口部よりも小さな外径とを有している。そして、このような柔軟性を有するコイル７８が、挿通部６６の、可撓性に優れた小径部７２に外挿された状態で、その両端部において、小径部７２に対してろう付け等により一体的に接合されている。これによって、保護体６４における挿通部６６のストッパ７４側とは反対の先端部分が、軸方向に直角な方向において柔らかいばね特性が発揮される柔軟部６８とされている。